(57)【要約】【課題】  簡易な操作で組み立てることができ、部品の交換が容易で、且つ上昇速度と発射の効率を高めることのできるウォーターロケットを提供する。【解決手段】  ロケット本体と、ロケット頭部と、スカートとを組み立てて、ウォーターロケットを構成する。該ロケット本体は、中間部の一端から末端に向かって所定の角度で直径が徐々に狭くなる後端部を具え、後端部の末端には、外周にフランジが一体に形成され、且つ噴射口が連結する本体連結部を設けてなり、該スカートは、ロケット本体の該後端部に嵌着し、内壁には該ロケット本体の本体連結部に形成されるフランジに緊密に当接する複数のリブを一体に形成してなり、該ロケット頭部は、ロケット本体の前端部に頭部連結部を一体に形成し、該頭部連結部に冠着する。【選択図】  図３
0003102202.tif 000002
【実用新案登録請求の範囲】
【請求項１】
ロケット本体と、ロケット頭部と、スカートとを組み立ててなるウォーターロケットにおいて、
該ロケット本体は、中間部の一端から末端に向かって所定の角度で直径が徐々に狭くなる後端部を具え、後端部の末端には、外周にフランジが一体に形成され、且つ噴射口が連結する本体連結部を設けてなり、
該スカートは、ロケット本体の該後端部に嵌着し、内壁には該ロケット本体の本体連結部に形成されるフランジに緊密に当接する複数のリブを一体に形成してなり、
該ロケット頭部は、ロケット本体の前端部に頭部連結部を一体に形成し、該頭部連結部に冠着すること
を特徴とするウォーターロケット。
【請求項２】
前記ロケット本体の本体連結部には、噴射口を螺合させて取り付けることを特徴とする請求項１に記載のウォーターロケット。
【請求項３】
前記スカートの外周面には、尾翼が一体に形成されることを特徴とする請求項１に記載のウォーターロケット。
【請求項４】
前記スカートの一端を内径が該ロケット本体の後端部の外径の最大値と略等しい嵌着部とすることを特徴とする請求項１に記載のウォーターロケット。
【請求項５】
前記スカートの内壁に形成されるリブがテーパ状に形成され、且つ該テーパ状部は最大直径が該本体連結部のフランジの外径より大きくなり、最小直径が該フランジの外径より狭くなるように形成されることを特徴とする請求項１に記載のウォーターロケット。
【請求項６】
前記ロケット頭部は、ロケット本体の前端部に形成する頭部連結部に圧迫して冠着するように形成することを特徴とする請求項１に記載のウォーターロケット。
【請求項７】
前記ロケット本体の前端部の頭部連結部には、外周に沿って凹溝を環状に形成し、且つ該ロケット頭部の底端縁部には、内壁の該凹溝に対応する位置に、該凹溝に係合するフランジを一体に形成することを特徴とする請求項１から請求項６に記載のウォーターロケット。
【考案の詳細な説明】
【技術分野】
【０００１】
この考案は、ウォーターロケットに関し、特に如何なる接着剤も使用することなく、簡易な操作で組み立てることのできるウォーターロケットの本体構造に関する。
【背景技術】
【０００２】
従来のウォーターロケットの構造を図１に開示する。図面によれば、中空の筒体であるロケット本体（１）の前端部（１１）にロケット頭部（２）を冠着し、後尾部（１２）にスカート（３）を嵌着してウォーターロケットを構成する。スカート（３）には尾翼（３１）を接着し、ロケット本体（１）の後端部をランチャーに連結する連結口（１３）とする。即ち、ロケット頭部（２）とスカート（３）をロケット本体（１）に嵌着し、ランチャーに取り付けて発射することによって、ウォーターロケットを発射する目的を達成することができる（ランチャーの一般的な構造は、この考案の特徴の範囲に属しないため、ここでは詳述しない）。
【０００３】
但し、上述の構造には次に掲げる欠点が見られる。
１． ロケット頭部（２）とスカート（３）をロケット本体（１）に嵌着し、更に接着剤（例えば樹脂、もしくは粘着テープ）で粘着し、更に尾翼（３１）を粘着して固定する。但し、ウォーターロケットは圧力を利用して発射するものであって、このため粘着はかなり慎重な作業でなければならず、相対的に必要とする作業時間も長くなる。
２． スカート（３）は、ロケット本体（１）に嵌着するため、口径がロケット本体（１）の直径より大きくなければならない。従って、ウォーターロケットが発射され空中に至ると、スカート（３）によって発生する空気の抵抗率が相対的に増加し、ウォーターロケットの上昇速度に影響を与える。
３． スカート（３）の外周面には、円周を等分する位置に尾翼（３１）を貼着する。但し、手作業で複数の尾翼（３１）を貼着した場合、正確な位置に貼着することが難しく、このため上昇速度に影響を与えるのみならず、その強度についても不安が残る。
４． ウォーターロケットは発射して上昇した後、地面に落ちる。係る動作を反復して行うため、部品が容易に破損する。但し、接着剤で粘着するため部品の交換が不便である。
【考案の開示】
【考案が解決しようとする課題】
【０００４】
この考案は、簡易な操作で組み立てることができ、且つ組み立てに接着材を必要としないウォーターロケットを提供することを課題とする。
【０００５】
またこの考案は、部品の交換が容易なウォーターロケットを提供することを課題とする。
【０００６】
またこの考案は、尾翼によって発生する空気の抵抗を減少させ、上昇速度と発射の効率を高めることのできるウォーターロケットを提供することを課題とする。
【課題を解決するための手段】
【０００７】
そこで、本考案者は従来の技術に見られる欠点に鑑み鋭意研究を重ねた結果、中間部の一端から末端に向かって所定の角度で直径が徐々に狭くなる後端部を具え、後端部の末端には、外周にフランジが一体に形成され、且つ噴射口が連結する本体連結部を設けてなるロケット本体と、該ロケット本体の後端部に嵌着し、内壁には該ロケット本体の本体連結部に形成されるフランジに緊密に当接する複数のリブを一体に形成してなるスカートと、該ロケット本体の前端部に頭部連結部を一体に形成し、該頭部連結部に冠着するロケット頭部とを組み合わせてなるウォーターロケットの構造によって課題を解決できる点に着眼し、かかる知見に基づいて本発明を完成させた。
【０００８】
以下、この考案について具体的に説明する。
請求項１に記載するウォーターロケットは、ロケット本体と、ロケット頭部と、スカートとを組み立ててなるウォーターロケットにおいて、
該ロケット本体は、中間部の一端から末端に向かって所定の角度で直径が徐々に狭くなる後端部を具え、後端部の末端には、外周にフランジが一体に形成され、且つ噴射口が連結する本体連結部を設けてなり、
該スカートは、ロケット本体の該後端部に嵌着し、内壁には該ロケット本体の本体連結部に形成されるフランジに緊密に当接する複数のリブを一体に形成してなり、
該ロケット頭部は、ロケット本体の前端部に頭部連結部を一体に形成し、該頭部連結部に冠着する。
【０００９】
請求項２に記載するウォーターロケットは、請求項１におけるロケット本体の本体連結部には、噴射口を螺合させて取り付ける。
【００１０】
請求項３に記載するウォーターロケットは、請求項１におけるスカートの外周面には、尾翼が一体に形成される。
【００１１】
請求項４に記載するウォーターロケットは、請求項１におけるスカートの一端を内径が該ロケット本体の後端部の外径の最大値と略等しい嵌着部とする。
【００１２】
請求項５に記載するウォーターロケットは、請求項１におけるスカートの内壁に形成されるリブがテーパ状に形成され、且つ該テーパ状部は最大直径が該本体連結部のフランジの外径より大きくなり、最小直径が該フランジの外径より狭くなるように形成される。
【００１３】
請求項６に記載するウォーターロケットは、請求項１におけるロケット頭部は、ロケット本体の前端部に形成する頭部連結部に圧迫して冠着するように形成する。
【００１４】
請求項７に記載するウォーターロケットは、請求項１から請求項６におけるロケット本体の前端部の頭部連結部には、外周に沿って凹溝を環状に形成し、且つ該ロケット頭部の底端縁部には、内壁の該凹溝に対応する位置に、該凹溝に係合するフランジを一体に形成する。
【考案の効果】
【００１５】
本考案のウォーターロケットは、如何なる接着剤をも使用することなく、簡易な操作でスカートと、ロケット頭部をロケット本体に連結することができるという利点がある。また、尾翼がスカートと一体に形成され、且つスカートの内壁にリブが形成され、本体連結部のフランジに緊密に当接するため、スカートが緊密に連結し、位置がずれることなく、且つウォーターロケットが上昇する場合、もしくは発射する場合の空気の抵抗を減少し、その効率を高める効果を有する。
【考案を実施するための最良の形態】
【００１６】
この考案は、如何なる接着剤も使用することなく、簡易な操作で組み立てることのできるウォーターロケットを提供するものであって、中間部の一端から末端に向かって所定の角度で直径が徐々に狭くなる後端部を具え、後端部の末端には、外周にフランジが一体に形成され、且つ噴射口が連結する本体連結部を設けてなるロケット本体と、該ロケット本体の後端部に嵌着し、内壁には該ロケット本体の本体連結部に形成されるフランジに緊密に当接する複数のリブを一体に形成してなるスカートと、該ロケット本体の前端部に頭部連結部を一体に形成し、該頭部連結部に冠着するロケット頭部とを組み合わせて構成する。
係る構成のウォーターロケットについて、その構造と特徴を詳述するために具体的な実施例を挙げ、以下に説明する。
【実施例１】
【００１７】
この考案によるウォーターロケットを図２から図５に開示する。図面によれば、ロケット本体（４）は弾性を有するプラスチック材によってなり、ロケット本体（４）は中間部（４１）の一端から末端に向かい、直径が所定の角度で徐々に狭くなる後端部（４２）を有し、後端部（４２）の末端には噴射口（５）が連結する本体連結部（４３）を設ける。後端部（４２）にはスカート（６）を嵌着する。スカート（６）は嵌着部（６１）を有し、外周面には尾翼（６２）を一体に形成してなる。該嵌着部（６１）の内径はロケット本体（４）の後端部（４２）の外径の最大値と略等しく、スカート（６）の後端部内壁には複数のリブ（６１１）を一体に形成する。該リブ（６１１）はテーパ状を呈し、噴射口（５）の内壁にねじ山を形成した連結端（５１）をロケット本体（４）の本体連結部（４３）に螺着させる場合、本体連結部（４３）の外周に形成されたフランジ（４３１）に当接し、緊密に螺着させる作用を有する。また、ロケット本体（４）の前端部（４４）には頭部連結部（４４１）を一体に形成する。頭部連結部（４４１）はロケット頭部（７）を緊密に冠着させる作用を有する。
【００１８】
ロケット本体（４）の後端部（４２）をスカート（６）に嵌着する場合、スカート（６）の嵌着部（６１）は内径がロケット本体（４）の後端部（４２）と略等しく、しかも後端部（４２）は所定の角度で直径が徐々に狭くなる形状を呈しているため、両者は緊密に嵌着することができる。また、噴射口（５）の連結端（５１）を本体連結部（４３）に螺着する場合、ロケット本体（４）のリブ（６１１）がテーパ状に形成され、且つテーパ状部は最大直径が本体連結部（４３）のフランジ（４３１）の外径より大きくなり、最小直径が該フランジ（４３１）の外径より狭くなるように形成されるため、該リブ（６１１）が本体連結部（４３）のフランジ（４３１）に緊密に当接し、スカート（６）が緊密に固定され、位置がずれる恐れがない。しかも簡易な操作で組み立てる目的を達成することができる。
【００１９】
また、ロケット本体（４）の後端部（４２）は所定の角度で直径が徐々に狭くなるように形成される。よってスカート（６）を嵌着すると、スカート（６）の嵌着部（６１）の外径はロケット本体（４）の中間部（４１）の外径に等しいか、もしくは狭くなる。よってウォーターロケットが上昇する場合、もしくは発射時における空気の抵抗を減少させることができる。また、ロケット頭部（７）はロケット本体（４）の前端部（４４）に形成した頭部連結部（４４１）に緊密に冠着する。即ち、ロケット本体（４）は弾性を有するプラスチック材によってなり、ロケット頭部（７）を圧迫して前端部（４４）の頭部連結部（４４１）に嵌着すると、ロケット本体（４）の付勢力によって緊密に嵌着する。
【００２０】
また、図５に開示するように、ロケット本体（４）の前端部（４４）の頭部連結部（４４１）には、外周に沿って凹溝（４４２）を環状に形成し、ロケット頭部（７）の底端縁部には、内壁の該凹溝（４４２）に対応する位置にフランジ（７１）を一体に形成し、ロケット頭部（７）を嵌着する場合、該凹溝（４４２）とフランジ（７１）とを係合させ、連結を補強する構造にしてもよい。
【００２１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２２】
【図１】従来のウォーターロケットの構造を示した断面図である。
【図２】この考案によるウォーターロケットの外観を示した斜視図である。
【図３】図２に開示するウォーターロケットの分解図である。
【図４】図３に開示するウォーターロケットの構造を示した断面図である。
【図５】この考案によるウォーターロケットの他の実施形態を示した断面図である。
【符号の説明】
【００２３】
１         ロケット本体
１１         前端部
１２         後尾部
１３         連結口
２         ロケット頭部
３         スカート
３１         尾翼
４         ロケット本体
４１         中間部
４２         後端部
４３         本体連結部
４３１         フランジ
４４         前端部
４４１         頭部連結部
４４２         凹溝
５         噴射口
５１         連結端
６         スカート
６１         嵌着部
６１１         リブ
６２         尾翼
７         ロケット頭部
７１         フランジ
【図１】
0003102202.tif 000003
【図２】
0003102202.tif 000004
【図３】
0003102202.tif 000005
【図４】
0003102202.tif 000006
【図５】
0003102202.tif 000007